(57)【要約】【課題】デジタルサイネージにおいて、撮影画像からの利用者の検出の成功率を向上することができる技術を実現する。【解決手段】人の顔を撮像部に向き付けるように構成された誘導動画を前記表示部に表示させ、前記誘導動画の表示中に前記撮像部によって撮像された撮像データを参照して、当該撮像データが示す画像に含まれる人の属性を検出する属性検出処理を実行する。【選択図】図１
2020194305.tif 000002
【特許請求の範囲】
【請求項１】
表示部と撮像部と制御部とを備えた表示システムであって、
前記制御部は、
人の顔を前記撮像部に向き付けるように構成された誘導動画を前記表示部に表示させ、
前記誘導動画の表示中に前記撮像部によって撮像された撮像データを参照して、当該撮像データが示す画像に含まれる人の属性を検出する属性検出処理を実行する
ことを特徴とする表示システム。
【請求項２】
前記制御部は、
前記誘導動画の表示に先立ち、人を前記表示部に近づけるための画像及び音声の少なくとも何れかを含む情報を出力する請求項１に記載の表示システム。
【請求項３】
前記制御部による前記属性検出処理は、
前記属性検出処理に付随する確度情報がある閾値以上である場合に、属性検出結果を出力するよう構成されており、
前記制御部は、
前記属性検出処理において参照する撮像データの撮像時間に応じて、前記閾値の値を変更する
ことを特徴とする請求項１又は２に記載の表示システム。
【請求項４】
前記誘導動画は、表示キャラクタを含み、当該表示キャラクタが時間と共に拡大表示されるよう構成されている
ことを特徴とする請求項１から３の何れか１項に記載の表示システム。
【請求項５】
前記誘導動画は、前記表示キャラクタの拡大表示後、当該表示キャラクタが時間と共に前記撮像部に向けて移動するよう構成されている
ことを特徴とする請求項４に記載の表示システム。
【請求項６】
前記制御部は、
前記誘導動画における前記表示キャラクタの移動後、前記表示キャラクタから見て表示画面中央部側に、提示用情報を表示させる
ことを特徴とする請求項５に記載の表示システム。
【請求項７】
表示部と撮像部と制御部とを備えた表示システムによる表示方法であって、
人の顔を前記撮像部に向き付けるように構成された誘導動画を前記表示部に表示させる表示ステップと、
前記誘導動画の表示中に前記撮像部によって撮像された撮像データを参照して、当該撮像データが示す画像に含まれる人の属性を検出する属性検出ステップと
を含んでいることを特徴とする表示方法。
【請求項８】
請求項１に記載の表示システムとしてコンピュータを機能させるためのプログラムであって、上記制御部としてコンピュータを機能させるためのプログラム。
【発明の詳細な説明】
【技術分野】
【０００１】
本発明は、表示システム、表示方法、およびプログラムに関する。
【背景技術】
【０００２】
従来、カメラでの撮影中に、被写体の視線をカメラに導くためのオブジェクトを表示画面に表示するスマートフォンが知られている（例えば、特許文献１参照）。また、利用者の注意を向けるための音声誘導を行うヒューマノイドロボットが近年開発されている。
【先行技術文献】
【特許文献】
【０００３】
【特許文献１】特開２０１５−１４２３１７号公報
【発明の概要】
【発明が解決しようとする課題】
【０００４】
ところで、店舗などに設置され、広告や案内のための映像を、表示画面に表示するデジタルサイネージが知られている。これらのデジタルサイネージには、カメラを備え、当該カメラの撮影画像から利用者の検出を行うものがある。撮影画像からの利用者の検出の成功率は、利用者と、カメラとの位置関係に大きく左右される。しかしながら、音声や画像によって、露骨に利用者に立ち位置を提示したり、注目位置を提示したりした場合には、利用者に不快感を与える可能性があった。
【０００５】
本発明の一態様は、上述した事情に鑑みてなされたものであり、デジタルサイネージにおいて、撮影画像からの利用者の検出の成功率を向上することができる技術を実現することを目的とする。
【課題を解決するための手段】
【０００６】
上記の課題を解決するために、本発明の一態様に係る表示システムは、表示部と撮像部と制御部とを備えた表示システムであって、前記制御部は、人の顔を前記撮像部に向き付けるように構成された誘導動画を前記表示部に表示させ、前記誘導動画の表示中に前記撮像部によって撮像された撮像データを参照して、当該撮像データが示す画像に含まれる人の属性を検出する属性検出処理を実行する。
【０００７】
また、上記の課題を解決するために、本発明の一態様に係る表示方法は、表示部と撮像部と制御部とを備えた表示システムによる表示方法であって、人の顔を前記撮像部に向き付けるように構成された誘導動画を前記表示部に表示させる表示ステップと、前記誘導動画の表示中に前記撮像部によって撮像された撮像データを参照して、当該撮像データが示す画像に含まれる人の属性を検出する属性検出ステップとを含んでいる。
【発明の効果】
【０００８】
本発明の一態様によれば、デジタルサイネージにおいて、撮影画像からの利用者の顔の検出率を向上することができる。
【図面の簡単な説明】
【０００９】
【図１】本発明の実施形態１に係る表示システムの要部構成を示すブロック図である。
【図２】表示装置の外観構成を示す図である。
【図３】誘導情報の例を示す図である。
【図４】表示部の表示例を示す図である。
【図５】表示部の表示例を示す図である。
【図６】表示部の表示例を示す図である。
【図７】表示部の表示例を示す図である。
【図８】表示システムによる処理の各ステップの例を示す図である。
【図９】表示システムによる処理の各ステップの例を示す図である。
【図１０】追跡の顔の大きさと、検出期間との関係を示す図である。
【図１１】表示システムによる処理の流れを示すフローチャートである。
【図１２】本発明の実施形態２に係る表示システムの要部構成を示すブロック図である。
【図１３】表示システムとして利用可能なコンピュータの構成を例示したブロック図である。
【発明を実施するための形態】
【００１０】
〔実施形態１〕
以下、本発明の一実施形態に係る表示システム１について、以下に詳細に説明する。図１は、本実施形態に係る表示システム１の要部構成を示すブロック図である。図２は、表示装置１００の外観構成を示すイメージ図である。
【００１１】
図１、および図２に示すように、表示システム１は、店舗等に設定され、利用者に広告や情報などを映像と音声とで提示するデジタルサイネージシステムである。表示システム１は、１台以上の所謂デジタルサイネージである表示装置１００を含んでいる。
【００１２】
（表示装置１００）
表示装置１００は、撮像部１１０、制御部１２０、および出力部１８０を備えている。また、表示装置１００は、記憶部１５０を含んでいてもよい。出力部１８０は、表示部１３０、およびスピーカ１４０を含んでいる。
【００１３】
撮像部１１０は、被写体を撮像する部分であり、例えば、デジタルサイネージに設けられたインカメラ等により構成される。撮像部１１０は、表示装置１００において、例えば、表示部１３０の周囲の枠部に設けられている構成とすることができる。図２に示した例では、撮像部１１０は、表示装置１００の上部正面であって、幅方向の略中央部に撮像用のレンズが設けられている。
【００１４】
撮像部１１０は、表示装置１００の周囲の動画を撮影し、撮影データを随時、制御部１２０に提供する。
【００１５】
制御部１２０は、表示装置１００の各部を統括的に制御する機能を備えた演算装置である。制御部１２０は、例えば１つ以上のプロセッサ（例えばＣＰＵなど）が、１つ以上のメモリ（例えばＲＡＭやＲＯＭなど）に記憶されているプログラムを実行することで表示装置１００の各構成要素を制御する。
【００１６】
出力部１８０は、制御部１２０によって制御され、表示部１３０からの映像出力、およびスピーカ１４０からの音声出力の少なくとも何れか一方を行う。
【００１７】
表示部１３０は、液晶ディスプレイ、有機ＥＬ（Electro Luminescence）ディスプレイ（ＯＬＥＤ）、及びプラズマディスプレイ等のディスプレイデバイスであり、制御部１２０によって制御され、テキストや画像をディスプレイに表示する。
【００１８】
スピーカ１４０は、制御部１２０によって制御され、音声を出力する。
【００１９】
記憶部１５０は、表示装置１００で用いられる種々のデータを格納するストレージである。記憶部１５０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。記憶部１５０には、表示部１３０に表示される表示用画像が記憶されている。
【００２０】
なお、表示部１３０に表示される表示用画像は、記憶部１５０に記憶されている構成に限らず、外部のサーバから提供される構成であってもよい。つまり、表示システム１は、表示装置１００単体から構成されてもよいし、表示用画像を提供するサーバと、表示装置１００とを含んで構成されていてもよい。
【００２１】
表示装置１００の制御部１２０は、撮像部１１０の撮影画像中の人の属性を検出して、検出した属性に応じた情報を提示することができる機能を有している。また、制御部１２０は、人の視線を撮像部１１０の方向に誘導することで、人の顔を撮像部１１０に向けつけるための誘導画像であって、表示装置１００と、人との距離に応じた誘導画像を、表示部に表示する機能を有している。制御部１２０の構成について、以下に詳述する。
【００２２】
（制御部１２０の構成について）
制御部１２０は、属性検出部１２１、誘導情報生成部１２２、誘導動画生成部１２３、提示用情報生成部１２４、及び、閾値変更部１２５を含んでいる。
【００２３】
属性検出部１２１は、撮像部１１０の撮像画像を取得し、撮像画像中の人の属性を検出する。属性検出部１２１は、例えば、撮像画像中の人の顔の各部位（目、鼻、口、眉、輪郭等）の特徴から、この人の性別、年齢、表情等の属性を検出する。
【００２４】
誘導情報生成部１２２は、人を表示部１３０に近づけるための画像および音声の少なくとも何れかを含む情報を生成する。誘導情報生成部１２２は、生成した誘導情報が画像を含む場合には、当該誘導情報を表示部１３０に供給し、表示部１３０により誘導情報を出力する。また、誘導情報生成部１２２は、生成した誘導情報が音声を含む場合には、当該誘導情報をスピーカ１４０に供給し、スピーカ１４０により、当該誘導情報を出力する。
【００２５】
図３は、誘導情報生成部１２２により生成され、表示部１３０に出力された誘導情報の例を示す図である。図３に示すように、誘導情報生成部１２２は、人を表示部１３０に近づけるため、例えば、キャラクターが手招きをしている動画を誘導情報として生成して、当該動画を表示部１３０に表示する。
【００２６】
誘導動画生成部１２３は、人の顔を撮像部１１０に向き付けるように構成された誘導動画を生成して、表示部１３０に表示させる。表示部１３０と、撮像部１１０との相対位置、換言すれば、表示装置１００における撮像部１１０の位置は、予め定められており、当該相対位置又は位置を示す情報は、一例として制御部１２０が参照可能なメモリに格納されている。誘導動画生成部１２３は、表示部１３０と、撮像部１１０との相対位置を示す情報を参照して、誘導動画を生成し、出力する。
【００２７】
属性検出部１２１は、誘導動画生成部１２３によって生成された誘導動画の表示中に、撮像部１１０によって撮像された撮像データを参照して、当該撮像データが示す画像に含まれる人の属性を検出する。
【００２８】
また、属性検出部１２１は、人の属性を検出する属性検出処理に付随する確度情報がある閾値以上である場合に、属性検出結果を出力するように構成されている。
【００２９】
提示用情報生成部１２４は、属性検出部１２１の検出結果に応じて、検出された人の属性に応じた提示用情報を生成する。提示用情報生成部１２４は、生成した提示用情報が画像を含む場合には、当該提示用情報を表示部１３０に供給し、表示部１３０により提示用情報を出力する。また、提示用情報生成部１２４は、生成した提示用情報が音声を含む場合には、当該提示用情報をスピーカ１４０に供給し、スピーカ１４０により、提示用情報を出力する。
【００３０】
提示用情報生成部１２４は、記憶部１５０に記憶されたコンテンツの中から、属性検出部１２１の検出結果である、利用者の性別や年齢に応じたコンテンツを選択して、提示してもよい。また、提示用情報生成部１２４は、属性検出部１２１が、属性を検出できなかった場合には、属性には関係の無い一般的な情報を含む提示用情報を生成してもよい。
【００３１】
閾値変更部１２５は、属性検出部１２１が属性検出処理において用いる閾値の値を変更する。閾値変更部１２５は、属性検出部１２１が属性検出処理において参照する撮像部１１０の撮像データの撮像時間に応じて、当該閾値の値を変更する。上述したように、属性検出部１２１は、誘導動画の表示中に撮像された撮像データを参照して人の属性を検出するため、撮像データの撮像時間は、誘導動画の表示期間であり、かつ、当該機関が属性検出部１２１による属性検出期間となる。
【００３２】
閾値変更部１２５は、属性検出部１２１が属性検出処理において参照する撮像部１１０の撮像データの撮像時間が、予め設定された所定の撮像時間以上、例えば３秒以上、の場合には、閾値を例えば０．９（９０％）に設定し、撮像時間がそれよりも短い場合には、閾値を例えば０．７（７０％）に設定する。
【００３３】
（表示システム１による処理の流れについて）
図４は、表示装置１００の表示部１３０における表示の移遷を示す図であり、図８、および図９は、表示装置１００による処理の各ステップの内容を示す図である。図１０は、撮影データ内に検出された人の顔の大きさと、各処理を実行する期間との関係を示した図である。
【００３４】
図４の（ａ）の表示例は、図８、および図９におけるステップ０に対応し、表示部１３０に表示された画像の例を示している。
【００３５】
制御部１２０は、撮像部１１０の撮像データを参照し、表示装置１００からの距離が所定の距離内である検出範囲に人の顔が検出できない間は、利用者がいないと判定し、撮像データの検出範囲における顔検出を続ける（図８、および図９におけるＳＴＥＰ０）。また、制御部１２０は、撮像データの顔検出を続けている間、表示部１３０に、デフォルト画像を表示する。デフォルト画像は、例えば、図４の（ａ）に示すように、表示部１３０の略中央に、所定の大きさで表示されたキャラクターの画像であってもよい。
【００３６】
制御部１２０は、撮像データ内の検出範囲に人の顔を検出すると、検出した顔に顔ＩＤを付して、当該顔の追跡を開始する（図８のＳＴＥＰ１）。図１０に示したように、制御部１２０は、撮像データ内の人の顔の大きさが第１の閾値Ａ１以上である場合に、検出範囲に人の顔があると判定し、当該顔の検出を行って、検出した顔の追跡を行う。制御部１２０は、検出範囲に複数の顔を検出した場合は、各顔に個別の顔ＩＤを付して、各顔の追跡を行う。また、顔ＩＤを付した後、当該顔ＩＤによって特定される顔が検出範囲の外に出た場合、つまり、当該顔の大きさが第１の閾値Ａ１よりも小さくなった場合には、当該顔の追跡を終了する。
【００３７】
図１０に示すように、制御部１２０は、追跡中の顔の大きさが第２の閾値Ａ２以上になったことを検出すると、誘導情報生成部１２２の機能により、誘導情報を出力する。これにより、例えば表示部１３０には、図３に示したように、人を招く動画による誘導情報が表示される（図８のＳＴＥＰ２）。
【００３８】
制御部１２０は、追跡中の顔の大きさが、さらに第３の閾値Ａ３以上になったことを検出すると、誘導動画生成部１２３の機能により、誘導動画を出力するとともに、属性検出部１２１の機能により、撮像部１１０の撮像データを参照して、顔の属性検出を開始する（図８のＳＴＥＰ３）。
【００３９】
図４の（ｂ）に示したように、誘導動画生成部１２３は、図８のＳＴＥＰ３、および図１０の検出期間Ｘ１において、表示部１３０に表示したキャラクタの画像を含む誘導動画を生成する。誘導動画生成部１２３は、キャラクタの画像を、ディスプレイ内で一定の軌跡で移動させたり、時間とともに拡大表示したりする。これにより、表示部１３０には、キャラクタが、ディスプレイから飛び出すような演出効果を有する画像が表示され、追跡中の顔を表示装置１００に近づけるように誘導する。
【００４０】
また、誘導動画生成部１２３は、表示部１３０に表示したキャラクタの画像を拡大表示した後、図４の（ｃ）に示したように、キャラクタの画像を時間と共に、撮像部１１０に向けて近づくように移動させる誘導動画を生成してもよい。また、誘導動画生成部１２３は、キャラクタの画像を撮像部１１０に近い位置に表示部１３０の幅方向から飛び込むように表示することで、人の顔を撮像部１１０に向けるような誘導動画を生成してもよい。
【００４１】
制御部１２０は、追跡中の顔の大きさが、第４の閾値Ａ４よりも大きくなったことを検出すると、閾値変更部１２５の機能により、検出期間Ｘ１の長さ、つまり、属性検出部１２１による属性検出処理において参照される撮像データの撮像時間に応じて、属性検出結果を出力する確度の閾値を変更する。属性検出部１２１は、検出結果の確度がある閾値以上である場合に、属性検出結果を出力するように構成されており、閾値変更部１２５は、上述したように、検出期間Ｘ１が所定の閾値以上の場合は、属性検出結果を出力する確度閾値を、例えば０．９（９０％）に設定する。また、閾値変更部１２５は、検出期間Ｘ１が所定の閾値より短い場合は、属性検出結果を出力する確度閾値を、例えば０．７（７０％）に設定する。
【００４２】
このように、閾値変更部１２５の機能により、撮像データの撮像時間に応じて、属性検出結果を出力する確度閾値を変更するため、属性検出期間が十分に長く、高い検出確度での検出結果が得られる場合には、属性検出結果を出力する確度閾値高くすることで、精度良く属性検出を行うことができる。また、属性検出期間が短く、検出確度が一定値以下となる場合であっても、属性検出結果が出力できないといった状況の招来を抑制することができる。
【００４３】
追跡中の顔の大きさが、第４の閾値Ａ４よりも大きくなった場合には、追跡中の顔の人が、表示装置１００の前に立っていると判断することができるため、制御部１２０は、提示用情報生成部１２４の機能により、属性検出部１２１の属性検出結果に基づく、提示用の情報を生成し、出力する（図８のステップＳ４）。提示用情報生成部１２４は、図４の（ｄ）に示したように、誘導動画生成部１２３によって生成され、表示部１３０に表示された誘導動画における表示キャラクタの撮像部１１０に向かっての移動後、表示キャラクタから視て表示画面中央側に、提示用情報を表示させる。また、提示用情報生成部１２４は、提示用情報を表示部１３０に表示するとともに、スピーカ１４０から提示用情報を出力することで、利用との会話を開始してもよい。
【００４４】
ところで、例えば、表示装置１００の撮像部１１０の撮影方向とは異なる方向から表示装置１００に人が近づいた場合等には、撮像データの人の検出範囲に、突然人が入ってくる。このような場合には、制御部１２０は、図９に示したＳＴＥＰ０の検出範囲内で顔検出ができない状態において、突然に、図１０に示した、属性検出を開始するトリガーとなる第３の閾値Ａ３よりも大きな、顔の大きさＢの顔を検出範囲において検出する。
【００４５】
このように、表示装置１００の近くに急に人が来た場合であって、属性検出を開始するトリガーとなる第３の閾値よりも大きな顔を検出した場合には、制御部１２０は、誘導動画生成部１２３の機能により、誘導動画の出力を開始するとともに、属性検出部１２１の機能により属性の検出を開始する（図９のＳＴＥＰ１１）。
【００４６】
制御部１２０は、属性検出を行っている顔の大きさが、第４の閾値Ａ４以上になったことを検出すると、閾値変更部１２５の機能により、検出期間Ｘ２の長さ（撮像データの撮像時間）に応じて、属性検出結果を出力する確度の閾値を変更して、属性検出部１２１の属性検出結果を出力する。そして、制御部１２０は、属性検出部１２１の属性検出結果に基づく、提示用の情報を提示用情報生成部１２４の機能により生成して出力する（図９のＳＴＥＰ１２）。
【００４７】
このように、制御部１２０は、撮像部１１０の撮像データを参照して、所定の検出範囲における顔を検出するとともに、当該顔の人を招く情報、例えば招く動作の動画や音声を出力することで、人の興味を引き、表示装置１００に近づくようにすることができる。また、招いた人の顔を追跡し、追跡している人の顔が所定の大きさになった、つまり、追跡している人が表示装置１００に近づいてきていることを検出して、当該人の顔の属性の検出を開始するとともに、当該人の顔を撮像部１１０に向かうように誘導する誘導動画を表示部１３０に表示する。これにより、撮像部１１０の撮像データを用いた属性検出の検出精度を向上することができる。
【００４８】
さらに制御部１２０は、属性検出処理に用いる撮像データの撮像時間に応じて、属性検出結果の出力を判断するための確度を変更する。よって、撮像データの撮像時間が長い場合には、精度の良い属性検出結果を出力することができ、一方で、撮像データの撮像時間が短い場合に属性検出結果が出力できなくなるといったことがない。
【００４９】
よって、音声や画像によって、露骨に利用者に立ち位置を提示したり、注目位置を提示したりすることなく、撮像データからの利用者の検出の成功率を向上することができ、利用者にとっては、違和感なく、適切な情報を得ることができる。
【００５０】
（制御部１２０の処理の流れについて）
図１１は、制御部１２０による処理の流れを示すフローチャートである。
【００５１】
（ステップＳ２１）
制御部１２０は、撮像部１１０の撮像データを参照して、所定の検出範囲内に顔を検出したか否かを判定する。制御部１２０は、撮像データ内で検出された顔の大きさが第１の閾値Ａ１以上であれば、所定の検出範囲内に顔を検出したと判定する。制御部１２０は、顔を検出したと判定すると（ステップＳ２１でＹＥＳ）、ステップＳ２２に進む。制御部１２０は、顔を検出するまで、ステップＳ２１の処理を継続して行う。
【００５２】
（ステップＳ２２）
制御部１２０は、撮像部１１０の撮像データを参照して、顔の大きさは、第３の閾値Ａ３以下か否かを判定する。制御部１２０は、顔の大きさが第３の閾値Ａ３以下であると判定すると、ステップＳ２３に進む。制御部１２０は、顔の大きさが第３の閾値Ａ３以下ではない、つまり、第３の閾値Ａ３よりも大きいと判定すると、ステップＳ２５に進む。
【００５３】
（ステップＳ２３）
制御部１２０は、検出した人の顔に顔ＩＤを付して、当該顔の追跡を開始する。
【００５４】
（ステップＳ２４）
制御部１２０は、顔ＩＤを付した顔の追跡を行うとともに、当該顔ＩＤの顔の人を表示部１３０の近くに招くための誘導情報を出力し、ステップＳ２２に戻る。
【００５５】
（ステップＳ２５）
制御部１２０は、顔ＩＤを付した顔の人の顔を撮像部１１０に向けるために、誘導動画を表示部１３０に表示し、属性検出処理を開始する。
【００５６】
（ステップＳ２６）
制御部１２０は、属性検出中の顔の大きさが第４の閾値Ａ４以上であるか否かを判定する。制御部１２０は、属性検出中の顔の大きさが第４の閾値Ａ４以上であると判定すると（ステップＳ２６でＹＥＳ）、ステップＳ２７に進む。制御部１２０は、属性検出中の顔の大きさが第４の閾値Ａ４以上ではないと判定すると（ステップＳ２６でＮＯ）、ステップＳ２６に戻る。
【００５７】
（ステップＳ２７）
制御部１２０は、属性検出処理において参照した撮像データの撮像時間に応じて、属性検出結果を出力するか否かを判定するための確度閾値を設定する。
【００５８】
（ステップＳ２８）
制御部１２０は、属性検出結果の確度が、ステップＳ２７で設定した確度閾値以上であるか否かを判定する。制御部１２０は、属性検出結果の確度が確度閾値以上であると判定すると（ステップＳ２８でＹＥＳ）、ステップＳ２９に進む。制御部１２０は、属性検出結果の確度が確度閾値以上ではないと判定すると（ステップＳ２８でＮＯ）、ステップＳ３０に進む。
【００５９】
（ステップＳ２９）
制御部１２０は、属性検出結果を出力し、属性検出結果に応じた提示用情報を生成する。
【００６０】
（ステップＳ３０）
制御部１２０は、属性検出結果を出力せず、利用者の性別や年齢などの属性に関係なく提示可能な一般的な提示用情報を生成する。
【００６１】
〔実施形態２〕
本発明の実施形態２について、以下に説明する。なお、説明の便宜上、上記実施形態１にて説明した部材と同じ機能を有する部材については、同じ符号を付記し、その説明を繰り返さない。
【００６２】
図１２は、実施形態２に係る表示システム２の要部構成を示すブロック図である。実施形態１では、表示システム１は、表示装置１００単体からなる構成について説明した。しかしながら、これに限らず、図１２に示すように、表示システム２は、表示装置２００と、コンテンツサーバ２５０とを含み、コンテンツサーバ２５０から取得したコンテンツを表示装置２００が表示する構成であってもよい。
【００６３】
表示装置２００は、通信部１６００を備えている。通信部１６０は、ネットワークに接続するための通信インターフェースであり、例えばＷｉ−Ｆｉ（登録商標）などの無線通信回路を備えている。通信部１６０は、コンテンツサーバ２５０から送信されるコンテンツをインターネットを介して受信する。
【００６４】
制御部１２０は、誘導情報、誘導動画、および提示用情報を生成するためのコンテンツを、通信部１６０を介してコンテンツサーバ２５０から取得して出力してもよい。
【００６５】
〔実施形態３〕
上記実施形態では、１つの表示装置１００を用いる例を説明したが、表示装置１００の有する各機能が、個別のサーバにて実現されていてもよい。そして、複数のサーバを適用する場合においては、各サーバは、同じ事業者によって管理されていてもよいし、異なる事業者によって管理されていてもよい。
【００６６】
また、サーバ２５０は、個別のサーバにて実現されていてもよいし、複数のサーバによって実現されていてもよい。複数のサーバを適用する場合においては、各サーバは、同じ事業者によって管理されていてもよいし、異なる事業者によって管理されていてもよい。
【００６７】
〔実施形態４〕
表示システム１，２の各ブロックは、集積回路（ＩＣチップ）等に形成された論理回路（ハードウェア）によって実現してもよいし、ソフトウェアによって実現してもよい。後者の場合、表示システム１，２を、図１３に示すようなコンピュータ（電子計算機）を用いて構成することができる。
【００６８】
図１３は、表示システム１，２として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００６９】
補助記憶装置９１４には、コンピュータ９１０を表示システム１，２として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示システム１，２が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【００７０】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００７１】
〔まとめ〕
本発明の態様１に係る表示システム１は、表示部１３０と撮像部１１０と制御部１２０とを備えた表示システム１であって、前記制御部１２０は、人の顔を前記撮像部１１０に向き付けるように構成された誘導動画を前記表示部１３０に表示させ、前記誘導動画の表示中に前記撮像部１１０によって撮像された撮像データを参照して、当該撮像データが示す画像に含まれる人の属性を検出する属性検出処理を実行する。
【００７２】
上記の構成によれば、露骨に利用者に立ち位置を提示したり、注目位置を提示したりすることなく、利用者の視線が誘導動画に向くことで、利用者の顔を自然に撮像部１１０に向けつけることができるとともに、利用者の視線を撮像部に向き付ける誘導動画の表示中に撮像された撮像データを参照して、利用者の属性を検出するため、利用者の属性の検出の成功率を向上することができる。
【００７３】
本発明の態様２に係る表示システム１は、上記態様１において、前記制御部１２０は、前記誘導動画の表示に先立ち、人を前記表示部１３０に近づけるための画像及び音声の少なくとも何れかを含む情報を出力してもよい。
【００７４】
上記の構成によれば、露骨に利用者に立ち位置を提示することなく、利用者を表示部１３０に近づけることができ、利用者の属性の検出の成功率を向上することができる。
【００７５】
本発明の態様３に係る表示システム１は、上記態様１または２において、前記制御部１２０による前記属性検出処理は、前記属性検出処理に付随する確度情報がある閾値以上である場合に、属性検出結果を出力するよう構成されており、前記制御部１２０は、前記属性検出処理において参照する撮像データの撮像時間に応じて、前記閾値の値を変更してもよい。
【００７６】
上記の構成によれば、属性検出期間が長い場合には、利用者の属性を精度良く検出することができ、属性検出期間が短い場合には、確度が一定値以下となり、属性検出結果が出力できないといった状況の招来を抑制することができる。
【００７７】
本発明の態様４に係る表示システム１は、上記態様１から３において、前記誘導動画は、表示キャラクタを含み、当該表示キャラクタが時間と共に拡大表示されるよう構成されていてもよい。
【００７８】
上記の構成によれば、露骨に利用者に注目位置を提示することなく、利用者の顔を自然に撮像部１１０に向けつけることができる。
【００７９】
本発明の態様５に係る表示システム１は、上記態様４において、前記誘導動画は、前記表示キャラクタの拡大表示後、当該表示キャラクタが時間と共に前記撮像部１１０に向けて移動するよう構成されていてもよい。
【００８０】
上記の構成によれば、露骨に利用者に注目位置を提示することなく、利用者の顔を自然に撮像部１１０に向けつけることができる。
【００８１】
本発明の態様６に係る表示システム１は、上記態様５において、前記制御部１２０は、前記誘導動画における前記表示キャラクタの移動後、前記表示キャラクタから見て表示画面中央部側に、提示用情報を表示させてもよい。
【００８２】
上記の構成によれば、撮像部１１０に顔を向けつけた利用者の視線位置から、利用者が視線を自然に移動させやすい位置に提示用情報を提示することができる。
【００８３】
本発明の各態様に係る表示ステムは、コンピュータによって実現してもよく、この場合には、コンピュータを上記表示ステムが備える各部（ソフトウェア要素）として動作させることにより上記表示ステムをコンピュータにて実現させる表示ステムの制御プログラム、およびそれを記録したコンピュータ読み取り可能な記録媒体も、本発明の範疇に入る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１、２  表示システム
１００、２００  表示装置
１１０  撮像部
１２０  制御部
１２１  属性検出部
１２２  誘導情報生成部
１２３  誘導動画生成部
１２４  提示用情報生成部
１２５  閾値変更部
１３０  表示部
１４０  スピーカ
【図１】
2020194305.tif 000003
【図２】
2020194305.tif 000004
【図３】
2020194305.tif 000005
【図４】
2020194305.tif 000006
【図５】
2020194305.tif 000007
【図６】
2020194305.tif 000008
【図７】
2020194305.tif 000009
【図８】
2020194305.tif 000010
【図９】
2020194305.tif 000011
【図１０】
2020194305.tif 000012
【図１１】
2020194305.tif 000013
【図１２】
2020194305.tif 000014
【図１３】
2020194305.tif 000015